(57)【要約】【課題】陳列商品を自動で前に押出す商品陳列台であり、押出板の反発力が一定し、押出板の製造が容易であり、商品が陳列台から転落しないものを得ることにある。【解決手段】直方体箱形状の商品配置部６と押出板７を具備した商品陳列台１であって、押出板７は、右固着部、遊離中間部と左固着部を含む板状で帯状の弾性体３０における遊離中間部３２により形成されるものである。後壁１２に弾性体の右固着部３１と左固着部３３を固着し、弾性体の遊離中間部が前壁方向に突き出て押出板を形成し、前壁高さｆｈが弾性体における押出板下辺高さＵＨよりも高い商品陳列台である。【選択図】図１
2010104412.tif 000002
【特許請求の範囲】
【請求項１】
長方形の底板、底板の後辺から立ち上がる後壁、底板の前辺から立ち上がる前壁、後壁と前壁を連結する左側壁、後壁と前壁を連結する右側壁を備え上部が開口した直方体箱形状の商品配置部と、
前記後壁の内表面に、前記後壁から前記前壁に向かい突き出た押出板を具備した商品陳列台において、
前記押出板は、右固着部、遊離中間部と左固着部を含む板状で帯状の弾性体における前記遊離中間部により形成されるものであって、
前記後壁の内表面に前記弾性体の右固着部の一方表面を固着し、さらに前記後壁の内表面に左固着部における一方表面であって前記右固着部における固着面と同一表面を固着しており、前記弾性体の遊離中間部が前記前壁方向に突き出ていて、
前記弾性体における前記遊離中間部の下端辺と底板内表面間の距離である押出板下辺高さＵＨと、前記前壁の上端辺と前記底板内表面間の距離である前壁高さｆｈが、式（１）の関係を満たす商品陳列台。
ＵＨ≦ｆｈ  −−  式（１）
【請求項２】
前記弾性体における前記右固着部と前記左固着部は、一定の間隔を保持して固着されていることを特徴とする請求項１に記載した商品陳列台。
【請求項３】
前記弾性体における前記遊離中間部の長さＦＬと前記商品配置部の奥行ｄｌが、式（２）の関係を満たすことを特徴とする請求項１乃至２いずれか記載の商品陳列台。
２×ｄｌ×０．８５≦ＦＬ≦２×ｄｌ×１．２  −−  式（２）
【請求項４】
前記弾性体は合成樹脂板であることを特徴とする請求項１乃至３いずれか記載の商品陳列台。
【請求項５】
前記弾性体における前記遊離中間部の上方にＰＯＰ追加面を付加したことを特徴とする請求項１乃至４いずれか記載の商品陳列台。
【請求項６】
前記商品配置部の開口部分の輪郭領域に開口平面壁を付加したものであり、前記開口平面壁の表面は、前記後壁の上端辺と前記前壁の上端辺を結ぶ面と等しい面であることを特徴とする請求項１乃至５いずれか記載の商品陳列台。
【発明の詳細な説明】
【技術分野】
【０００１】
本発明はコンビニエントストア、スーパーマーケット、その他の小売店などで商品などを陳列するための商品陳列台に関し、より詳しくは、主として前後方向に配置された商品が前面から取り出される結果、奥に残る商品を前方に向けて押し出しすることができる商品の陳列台に関する。
【背景技術】
【０００２】
コンビニエントストア、スーパーマーケット、その他の小売店などにおいて、商品を見やすく取り出しやすいなどの目的で、陳列台に前後方向に同一商品を陳列することが行われている。手前に配置された商品が取り出される結果、手前が空いてしまうことになる。商品は、常に、最前面に並んでいることが好ましい。しかし、陳列台や棚の奥の商品を手前に引き出す作業は、手間を要する作業である。
【０００３】
上記手間を省略し、商品の前出しを自動化するために、陳列台の構成が工夫されている。これら工夫のなかで、合成樹脂製板などの押出板を商品の後ろに配置し、当該押出板の弾性力により、商品を前に出す商品陳列具が知られている（例えば、特許文献１参照。）。
【０００４】
【特許文献１】特開２００１−１７２８１号公報
【発明の開示】
【発明が解決しようとする課題】
【０００５】
上述した従来の商品陳列具は、ＰＥＴ（ポリエチレンテレフタレート）樹脂などの合成樹脂板を押出板に使用するものであり、安価に製造できる特徴がある。しかし、望ましい反発力を有し、かつ力が一定した反発力を有する押出板を製造するために、合成樹脂板をクセつける操作は、難しく、調整が必要であった。
【０００６】
また、反発力の経時変化が早いために、長期間にわたり一定の押し出し力を得ることが難しかった。
【０００７】
さらに、上述した従来の商品陳列具は、商品が陳列台から押し出され、展示棚から転げ落ちる事態がしばしば発生する。陳列台の前壁を高くすれば押し出される事態を避けることができるが、これでは商品自体あるいはその包装の前面部が前壁で隠蔽されるので、商品の訴求力が弱められる。
【０００８】
本発明は、押出板の反発力が一定し、押出板の製造が容易であり、また、長期間にわたり反発力が一定する商品陳列具を得ることを課題とする。また、本発明は、商品の前面が一層広く露出することが許容されるとともに、商品が陳列台から押し出されること無い商品陳列台を得ることを課題とする。
【０００９】
本発明のその他の課題は、本発明の説明により明らかになる。
【課題を解決するための手段】
【００１０】
なお、理解を容易にするために、本発明の実施態様に対応する符号を付けて説明するが、本発明は当該実施態様に限定されるものではない。
【００１１】
本発明の一の態様にかかる商品陳列台は、
長方形の底板（１１）、底板の後辺（１１２）から立ち上がる後壁（１２）、底板の前辺（１１３）から立ち上がる前壁（１３）、左側壁（１４）、右側壁（１５）を備え上部が開口した直方体箱形状の商品配置部（６）と、
前記後壁の内表面（１２２）に、前記後壁から前記前壁に向かい突き出た押出板（７）を具備した商品陳列台（１）において、
前記押出板は、右固着部（３１）、遊離中間部（３２）と左固着部（３３）を含む板状で帯状の弾性体（３０）における前記遊離中間部（３２）により形成されるものであって、
前記後壁の内表面（１２２）に前記弾性体の右固着部の一方表面（３４）を固着し、さらに前記後壁の内表面に左固着部における一方表面であって前記右固着部における固着面と同一表面（３７）を固着しており、前記弾性体の遊離中間部（３２）が前記前壁方向に突き出ていて、
前記弾性体における前記遊離中間部の下端辺と底板内表面間の距離である押出板下辺高さＵＨと、前記前壁の上端辺と前記底板内表面間の距離である前壁高さｆｈが、式（１）の関係を満たすものである。
ＵＨ≦ｆｈ  −−  式（１）
【００１２】
本発明の好ましい実施態様では、商品陳列台において、前記弾性体における前記右固着部と前記左固着部は、一定の間隔を保持して固着されていてもよい。
【００１３】
本好ましい実施態様によれば、遊離中間部である弾性体がより確実に前壁側に突出すため、一層好ましい前方向への押圧力が得られる商品陳列台となる。
【００１４】
本発明の他の好ましい実施態様において、商品陳列台は、前記弾性体における前記遊離中間部の長さＦＬと前記商品配置部の奥行ｄｌが、式（２）の関係を満たすものであってもよい。
２×ｄｌ×０．８５≦ＦＬ≦２×ｄｌ×１．２  −−  式（２）
【００１５】
本好ましい実施態様によれば、前壁位置を越えてより前方に押出すという不必要な押圧力が働くことなく、商品配置部の空間領域をより陳列する商品のために割り当てることができ、さらに弾性体の長さを適度にして、弾性体を節約し、安価な商品陳列台とすることができる。
【００１６】
本発明のその他の好ましい実施態様において、商品陳列台における、前記弾性体は合成樹脂板であってもよい。
【００１７】
本好ましい実施態様によれば、安価な材料で押出板を作成でき、ひいては、一層安価な商品陳列台となる。
【００１８】
本発明の好ましい他の実施態様において、商品陳列台は、
前記弾性体における前記遊離中間部の上方にＰＯＰ追加面（４５）を付加したものであってもよい。
【００１９】
本好ましい実施態様によれば、より広い面積にＰＯＰ表示が可能となり、商品訴求力を一層高めることができる。
【００２０】
本発明の好ましいその他の実施態様において、商品陳列台は、前記商品配置部の開口部分（１６）の輪郭領域に開口平面壁（１７）を付加したものであり、前記開口平面壁の表面（１７１）は、前記後壁の上端辺（１２１）と前記前壁の上端辺（１３１）を結ぶ面と等しい面であってもよい。
【００２１】
本好ましい実施態様によれば、開口平面壁にＰＯＰ表示やテスター商品の陳列などが可能となり、より一層商品訴求力を高めることができる。
【００２２】
以上説明した本発明、本発明の好ましい実施態様、これらに含まれる構成要素は可能な限り組み合わせて実施することができる。
【発明の効果】
【００２３】
本発明は、その他の構成と共に、特に、押出板が板状で帯状の弾性体で構成され、かつバネ部として働く弾性体の遊離中間部が、およそ円柱形状に配置されるので、クセ付けなどの調整不要で、一定の前方押圧力が発揮される。このため、商品配置部に配置された商品が一定の力で前壁に向かい押し付けられる。そして、例えば折り曲げ線のような一の線が反発力を担うのではなく、帯状の弾性体の遊離中間部全体が反発力を担うので、一定の押圧力がより一層長期間持続する。
【００２４】
また、その他の構成と共に、弾性体の遊離中間部の下端辺が前壁上端よりも下にある。仮に、陳列商品上方部分を前に傾斜させる力が働くと、前壁上端を支点として陳列商品下端部分を後方に傾斜（あるいは移動）させる力が現れるが、弾性体の下端部分が陳列商品下端部分の当該後方への動きを妨害する。以上説明した作用により、商品が前に押し出されず、展示台の外にこぼれ落ちない商品展示台となる効果がある。
【発明を実施するための最良の形態】
【００２５】
以下、図面を参照して本発明の実施例にかかる商品陳列台をさらに説明する。本発明の実施例に記載した部材や部分の寸法、材質、形状、その相対位置などは、とくに特定的な記載のない限りは、この発明の範囲をそれらのみに限定する趣旨のものではなく、単なる説明例にすぎない。
【００２６】
図１は商品を陳列した状態での商品陳列台１の斜視図であり、図２は商品陳列台１の斜視図、図３は商品陳列台１の平面図、図４は図３中にＡ−Ｂ線で示した商品陳列台１の端面図、図５は弾性体３０の平面図、図６は陳列商品６０３の前方転倒防止を説明する図、図７はＰＯＰ追加面４５を付加した遊離中間部３２及び開口平面壁１７を含む商品陳列台２の斜視図である。図２では右側壁１５の図示を省略している。
【００２７】
商品陳列台１は商品配置部６と商品配置部を構成する後壁１２に取付けられた押出板７からなる。
【００２８】
商品配置部６は、長方形の底板１１、底板の後辺１１２から立ち上がる後壁１２、底板の前辺１１３から立ち上がる前壁１３、左側壁１４、右側壁１５を備えている。商品配置部６は上部が開口した直方体箱形状である。底板１１は前後長が左右長よりも長くてもよく、短くてもよい。底板１１の形状である長方形には正方形も含まれる。
【００２９】
後壁高さと前壁高さｆｈの関係について特に制限はない。このため、前壁と後壁を同じ高さにしてもよく、前壁よりも後壁を高くしてもよく、また、後壁よりも前壁を高くしてもよい。通常、陳列商品あるいは包装された陳列商品（以下両者を陳列商品と総称する）の前面には、商品訴求力を高めるＰＯＰ印刷などが施されている。このため、一般に、陳列状態で、不必要に前面を覆い隠すことが無いように、前壁を低くする。以上の理由で、前壁が後壁よりも低くなることが多い。前壁が低く後壁が高い場合には、商品配置部６の形状は、図１、図２に図示したように、斜め平面で切断した直方体箱形状となる。
【００３０】
左側壁１４と右側壁１５は側面全面を覆う壁である。もっとも、左側壁１４と右側壁１５は通常大きな力はかからず、陳列商品の傾きを防止する作用などを担えればよい。このため、側面全面を覆う壁は必ずしも必要ではなく、例えば、側面の上部を結ぶ帯状部材であってもよい。
【００３１】
商品配置部６は、厚紙、ダンボール紙又は上質紙などの紙材、若しくは合成樹脂板など適宜の材料で製作される。紙材で製作すれば、環境負荷が少ない観点から好都合である。
【００３２】
押出板７は直方体箱形状である商品配置部６の中で、後壁１２から前壁１３に向かい、突き出ている。押出板７はその上部一部分が商品配置部６の開口面よりも上に位置していてもよい。
【００３３】
押出板７は板状の弾性体３０を後壁１２に固着して形成される。図５を参照して、弾性体３０は帯状である。その長手方向を矢印４８で示している。弾性体３０は右端から長手方向へ順に、右固着部３１、遊離中間部３２、左固着部３３を含んでいる。右固着部３１の一方表面３４が後壁に固着される面である。
【００３４】
一方表面３４は図５で紙面裏面側の面である。左固着部３３の一方表面３７が後壁に固着される面である。一方表面３７は図５で紙面裏面側の面である。一方表面３４と一方表面３７は、弾性体３０の同一面である。ちなみに、遊離中間体３２において表面３６は陳列商品に接触する面である。ここで表面３６は図５で紙面表面側の面である。
【００３５】
後壁の内表面１２２に弾性体の右固着部の一方表面３４を固着する。後壁の内表面１２２に左固着部の一方表面３７を固着する。固着は、適宜の手段で行えばよい。例えば、接着剤を使用した接着でもよい。また、例えば、後壁に部分切断線を設け、弾性体に嵌め込み部を設け、両者を係合させてもよい。さらに、例えば、後壁と弾性体を重ねて、リベットやステープルなどで係止してもよい。
【００３６】
板状弾性体は、合成樹脂板や金属板を使用することができる。合成樹脂板はポリエステル、ポリエチレン、ポリプロピレンなどを使用することができ、ポリエステルとりわけポリエチレンテレフタレート（以下ＰＥＴという）が特に好ましい。
【００３７】
合成樹脂板の厚さは、使用する材料、帯状板の短辺の長さ（弾性体の高さＨＨに等しい）、陳列商品の重量などに依存するが、ＰＥＴ板の場合には、例えば、１００μｍから１０００μｍ程度の厚さの板が使用できる。合成樹脂板を使用すれば、商品陳列台を安価に製造することができる利点がある。
【００３８】
このように押出板は一定形状の板状材料を後壁に固着するのみで完成する。バネとして働くように、予めクセ付けるなどの工程は不必要である。さらに、弾性体の材料、厚さ、寸法、取付け位置などの諸条件を決定すれば、当該諸条件を再現するのみで、格別の調整なく、同一押出力を備えた押出板を量産することができる。よって、同一性能を備えた商品陳列台１を、手間なく、短時間で量産できる。
【００３９】
さらに、遊離中間部がその長さ方向全体に渡り反発力を発揮するので、長期間にわたり同一の押出力を発揮する。この点で安価手軽でありながら、耐久性を備えた商品陳列台となる。
【００４０】
右固着部の下端辺３８と左固着部の下端辺３９が底板内表面１１１と平行な同一線上にある。前記の表現において、平行とは、線と面が作る角度が０度から１０度までの範囲を意味する。好ましい関係は、線と面が作る角度が０度である。
【００４１】
右固着部の下端辺３８と左固着部の下端辺３９は通常は一本の直線上に位置するように固着される。しかし、下端辺３８と下端辺３９が角度１５０度以上、１８０度未満の角度で交わる状態に固着されてもよい。
【００４２】
当該固着により、弾性体の遊離中間部３２が前壁１３方向に突き出て押出板７を形成する。
【００４３】
当該固着状態において、通常、右端短辺５１と左端短辺５２は平行である。しかし、右端短辺５１と左端短辺５２が底板１１に近づくにつれてその間隔が広がる、あるいはその間隔が狭まる状態であってもよい。好ましくは、右端短辺５１と左端短辺５２が平行であり、かつ、右端短辺５１と左端短辺５２が底板内表面１１１と垂直となる配置である。
【００４４】
ここで、右固着部３１と左固着部３３の間隔、より詳細に定義すれば、右固着部の左境界線４３と左固着部の右境界線４４の間隔ｆｗは、通常、特に制限はない。したがって、左境界線４３と右境界線４４が接していてもよい。この場合ｆｗ＝０が成立する。
【００４５】
また、左境界線４３と右境界線４４の間隔ｆｗが、
０＜ｆｗ≦１／３ｔｗ  −−  式（１１）
の範囲にあってもよい。より好ましくは、
１／５ｔｗ≦ｆｗ≦１／３ｔｗ  −−  式（１２）
の範囲にあってもよい。ここで、ｔｗは商品配置部６の左右長さ（ｔｗは底板１１の横幅と等しい）を示している。
【００４６】
ｆｗが上記の範囲にあると、押出板７の押出し力が左右に傾くことがなくなり、また、底板１１の前後長さが短くても、押出板７の押出し力が一層発揮される。
【００４７】
遊離中間部３２の下端辺４１は、底板の内表面１１１と離間していることが好ましい。遊離中間部３２が妨げられることなく自由な位置に動いて、前壁方向への押出し力を発揮するためである。このため、底板の内表面１１１と下端辺４１間の距離である押出板下辺高さＵＨは、１００μｍ以上あることが好ましい。もっとも、底板の内表面１１１を鏡面仕上げとするなどして、内表面１１１と下端辺４１間の摩擦力を極めて小さい状態にすれば、押出板下辺高さＵＨは０であってもよい。
【００４８】
押出板下辺高さＵＨと前壁１３の高さｆｈとは、式（１）の関係を満たすことが好ましい。
【００４９】
ＵＨ≦ｆｈ  −−  式（１）
ここで前壁高さｆｈは、前壁の上端辺１３１と底板内表面１１１間の距離である。
【００５０】
押出板下辺高さＵＨが、遊離中間部の位置（位置を言い換えれば、右端短辺５１からの距離）により異なる場合には、遊離中間部の中間点における押出板下辺高さを式（１）におけるＵＨにすればよい。前壁高さｆｈが、前壁の位置により異なる場合には、最高点の高さを式（１）におけるｆｈとすればよい。
【００５１】
式（１）の関係は、陳列商品が前壁から前に押出されないために必要である。図６は陳列商品６０３の前方転倒防止に働く力を説明する図である。
【００５２】
陳列商品６０３の上方部分を前に傾斜させる力、すなわち矢印６１の力が働くとする。前壁上端辺１３１を支点として陳列商品に回転力が働く。このため陳列商品６０３の下端部分を後方に傾斜（あるいは移動）させる力、すなわち矢印６２の力が現れる。この矢印６２の力に対向して、遊離中間部３２の下方部分が反発する力を発揮する。このようにして、陳列商品が前方に転倒する動きが妨害される。仮に、
ＵＨ＞ｆｈ  −−  式（１３）
の関係であれば、弾性体３２は、陳列商品の下端部分の矢印６２の力を受け止めることが出来ず、陳列商品が転倒することになる。
【００５３】
遊離中間部の高さＨＨは、特に制限はなく、自由に定めることができる。例えば、ＨＨを後壁の高さと前壁の高さの間にすればよい。
【００５４】
遊離中間部の長さＦＬと商品配置部の奥行ｄｌは、通常、式（２）の関係を満たすことが好ましく、式（３）の関係を満たすことがより一層好ましい。
【００５５】
２×ｄｌ×０．８５≦ＦＬ≦２×ｄｌ×１．２  −−  式（２）
２×ｄｌ×０．９５≦ＦＬ≦２×ｄｌ×１．０  −−  式（３）
ここで、商品配置部の奥行ｄｌは底板１１の前後長さに等しい。
【００５６】
商品陳列台にあって、陳列商品に対する押圧力がかかることが好ましい前後位置が存在する。例えば、陳列商品の前面が前壁に接触する位置するよりも前方位置では押圧力が不要である。
【００５７】
遊離中間部の長さＦＬが上記の範囲にあると、遊離中間部の最前部が前壁に接触するか、近接する位置となり、押圧力が発揮される最も前面の位置が好ましい配置となる。このため、前壁位置を越えてより前方に押出す不必要な押し圧力は働かなくなる。
【００５８】
さらに、最大限度まで、陳列商品を詰め込んだときに、遊離中間部を商品配置部内に収容しなければならない。不必要に長い遊離中間部は商品配置部の空間領域を消費する。遊離中間部の長さＦＬが上記の範囲にあれば、商品配置部の空間領域をより陳列する商品のために割り当てることができ、さらには、弾性体を節約することができる。
【００５９】
遊離中間部３２はＰＯＰ領域とすることができる。ＰＯＰ領域は遊離中間部の両表面のうちで、商品に接触する面である表面３６側にすることが好ましい。表面３６側にすれば、陳列商品が無くなった時点で、ＰＯＰ領域が一層人目を引くことになる。
【００６０】
さらに、遊離中間部のＰＯＰ領域の他に、遊離中間部の上方にＰＯＰ追加面４５を付加してもよい。図７に図示した一例では連結部４７を介してＰＯＰ追加面４５を付加している。連結部４７無しで、遊離中間部の上方にそのままＰＯＰ追加面４５を隣接してもよい。この場合には、ＰＯＰ領域とＰＯＰ追加面が一体化した広い領域のＰＯＰ面であってもよいし、２以上のＰＯＰ領域に分かれていてもよい。
【００６１】
ＰＯＰ領域には、例えば「ＳＯＬＤ  ＯＵＴ」、「近日入荷予定」、あるいは商品名などの文字、若しくは商品写真などの画像などを表示することができる。
【００６２】
商品配置部の開口部分１６の輪郭領域に開口平面壁１７を付加してもよい。開口平面壁の表面１７１は、後壁の上端辺１２１と前壁の上端辺１３１を結ぶ面と等しい面である。開口平面壁１７は、図７に図示したように、商品配置部の開口部分１６の後方と左右方向に広がっていてもよく、あるいは、商品配置部の開口部分１６の４周囲方向に広がっていてもよく、４周囲の１又は２以上の任意の周囲方向に広がっていてもよい。
【００６３】
開口平面壁にＰＯＰ表示やテスター商品の陳列などが可能となり、より一層商品訴求力を高めることができる。
【００６４】
次に、商品陳列台１の使い方を説明する。遊離中間部３２を後壁１２の方向に押しつつ、遊離中間部３２と前壁１３の間に適宜の数の陳列商品６０１、６０２、６０３などを陳列する。前面に位置する陳列商品６０１を上方に持ち上げつつ取り出すと、残余の陳列商品６０２と６０３は、遊離中間部の押出し力を受けて、前方に移動する。
【００６５】
商品陳列台１は、底面１１が水平の状態で陳列されてもよく、底板の後辺１１２が底板の前辺１１３よりも低い状態で陳列されてもよい。このような前後の傾斜を付けて展示するために、傾斜形成台である傾斜形成ユニットを作成し、当該傾斜形成ユニットの上に、商品陳列台を載置してもよい。
【図面の簡単な説明】
【００６６】
【図１】商品を陳列した状態での商品陳列台１の斜視図である。
【図２】商品陳列台１の斜視図である。
【図３】商品陳列台１の平面図である。
【図４】図３中にＡ−Ｂ線で示した商品陳列台１の端面図である。
【図５】弾性体３０の平面図である。
【図６】陳列商品６０３の前方転倒防止に働く力を説明する図である。
【図７】ＰＯＰ追加面４５を付加した遊離中間部３２及び開口平面壁１７を含む商品陳列台２の斜視図である。
【符号の説明】
【００６７】
１    商品陳列台
６    商品配置部
７    押出板
１１  底板
１２  後壁
１３  前壁
１６  開口部分
１７  開口平面壁
３０  弾性体
３１  右固着部
３２  遊離中間部
３３  左固着部
３８  右固着部の下端辺
３９  左固着部の下端辺
４１  遊離中間部の下端辺
４５  ＰＯＰ追加面
４６  ＰＯＰ領域
４７  連結部
６０１、６０２、６０３  陳列商品
ＵＨ  押出板下辺高さ
ＦＬ  遊離中間部の長さ
ＨＨ  遊離中間部の高さ
ｆｈ  前壁高さ
ｄｌ  奥行き
ｆｗ  遊離中間部取付け間隔
【図１】
2010104412.tif 000003
【図２】
2010104412.tif 000004
【図３】
2010104412.tif 000005
【図４】
2010104412.tif 000006
【図５】
2010104412.tif 000007
【図６】
2010104412.tif 000008
【図７】
2010104412.tif 000009